(57)【要約】【課題】自動取引装置において、ジャーナルデータ等の重要なデータを失ってしまうことを防止する。【解決手段】自動取引装置の記憶部３内に、従来から備えられていたＨＤ５とは別に副記憶媒体６を設け、この副記憶媒体６にジャーナルデータを書き込む。【選択図】        図１
2006260157.tif 000002
【特許請求の範囲】
【請求項１】
複数の補助記憶装置に同一内容の重要データを書き込む自動取引装置において、
交換可能な副記憶媒体を装着し、該副記憶媒体に前記補助記憶に書き込まれた重要データと同じ重要データを書き込むことを特徴とする自動取引装置。
【請求項２】
請求項１に記載の自動取引装置において、
前記重要データが、ジャーナルデータであることを特徴とする自動取引装置。
【請求項３】
請求項１に記載の自動取引装置において、
さらに、自動取引装置毎に設定された固有設定情報を前記副記憶媒体に書き込むことを特徴とする自動取引装置。
【請求項４】
請求項１に記載の自動取引装置において、
前記副記憶媒体を装着したとき、装着すべき自動取引装置を特定するための識別用データをデータ読み取り手段により前記副記憶媒体から読み取って、前記補助記憶装置に記憶されている識別用データと一致するか否かを判断し、一致している場合のみ前記重要データを書き込み手段で前記副記憶媒体に書き込むことを特徴とする自動取引装置。
【請求項５】
請求項４に記載の自動取引装置において、
前記補助記憶装置は換装可能であり、
前記補助記憶装置を換装したとき、前記副記憶媒体から新たな補助記憶装置へ前記重要なデータの書き込みを承認する旨が入力されると、前記副記憶媒体を装着する自動取引装置を特定するための識別用データを読み取り手段により前記副記憶媒体から読み取って、前記自動取引装置の識別用データの内容と一致するか否かを判断し、識別用データの内容が一致して前記自動取引装置に対応する正しい副記憶媒体であると判断した場合に、前記副記憶媒体に書き込まれた重要データを前記換装した補助記憶装置に書き込み手段で書き込んで復元することを特徴とする自動取引装置。
【発明の詳細な説明】
【技術分野】
【０００１】
本発明は、金融機関の店舗等に設置される自動取引装置に関するものである。
【背景技術】
【０００２】
従来の自動取引装置においては、カードリーダライタや通帳記帳機で顧客のカードや通帳から読み取った顧客の特定データ、取引内容、日付、時刻等のデータや障害が発生したときの、その発生箇所や日付、時刻等の障害発生データをジャーナルデータとしてジャーナルプリンタにてジャーナル用紙に印字している。
また、このようなデータは前記ジャーナルプリンタによりジャーナル用紙への印字と同期をとって、同じデータをハードディスクドライブで記憶媒体としてのハードディスク（ＨＤ）に書き込んで保存している（例えば、特許文献１参照。）。
【特許文献１】特開平９−１６１１３０号公報（第３頁、第１図、第２図）
【発明の開示】
【発明が解決しようとする課題】
【０００３】
上述したように、従来の自動取引装置は顧客の特定データや取引内容等のジャーナルデータをＨＤに保存しているが、通常、自動取引装置はこのようなＨＤを２台備えており、この２台のＨＤを接続し、ミラーリング、デュプレキシング、ＲＡＩＤ等といった方法で同じデータを複数のＨＤに書き込んで、一つのＨＤが壊れても他のＨＤで代替し、支障なく運用を継続することができるようにしてある。
しかしながら、このような方法では、一つのＨＤが壊れて、他のＨＤで運用を継続している最中にこのＨＤも壊れてしまったり、全てのＨＤが同時に壊れたりした場合に、ジャーナルデータが失われてしまうという問題があった。
【０００４】
本発明は、このような従来技術の課題を解決するためになされたものである。
【課題を解決するための手段】
【０００５】
このため、本発明は、交換可能な複数の補助記憶装置に同一内容の重要データを書き込む自動取引装置において、交換可能な副記憶媒体を装着し、該副記憶媒体に前記補助記憶に書き込まれた重要データと同じ重要データを書き込むことを特徴とする。
【発明の効果】
【０００６】
これにより、本発明の自動取引装置では、補助記憶装置である一つのＨＤが壊れたあと、他のＨＤでＡＴＭの運用を継続している最中に残りのＨＤが壊れたり、全てのＨＤが同時に壊れたりした場合でも、副記憶媒体に重要データが書き込まれているため、データ損失を防止することが可能になるという効果が得られる。
【発明を実施するための最良の形態】
【０００７】
以下に、図面を参照して本発明の自動取引装置の実施例について説明する。
【実施例１】
【０００８】
図１は自動取引装置を示すブロック図であり、図２はジャーナルデータの書き込み方を示す図である。
図において、１は金融機関の店舗等に設置された自動取引装置（以下、ＡＴＭと記す。）であり、係員用の表示部２、記憶部３、およびこれらを制御する制御部４等を備えている。
【０００９】
ここで表示部２は、ＡＴＭ１の背面部の内面に設けられるもので、ＬＣＤ等の画面上にタッチパネル等の入力部を配したものであり、保守等のために背面扉を開いたとき、各種画面を表示部２に表示すると共に、画面上からの係員の入力操作を受け付ける。
記憶部３は書き込み手段および読み取り手段を備え、自動取引装置１で行われた取引データや障害発生データ等のジャーナルデータを制御部４から受け取って補助記憶装置としてのハードディスク（以下、ＨＤと記す。）５に書き込むと共に、制御部４からの指令によりＨＤ５からジャーナルデータを読み取ることができる。
なお、上記書き込み手段および読み取り手段は一個の磁気ヘッドにより実現されるものである。
また、記憶部３は複数のＨＤ５を備え、これら複数のＨＤ５を接続し、ＨＤ５上のデータを保護するためにミラーリング、デュプレキシング、ＲＡＩＤ等といった方法で、一方のＨＤ５にジャーナルデータが書き込まれると、他方にも同時に同じデータを書き込むようにしている。
【００１０】
さらに、記憶部３は、従来から備えられていたＨＤ５とは別に、副記憶媒体６としてのリムーバブル媒体への読み出し、書込みを行うためのドライブ装置を備えており、この副記憶媒体６は図２に示すように、制御部４からＨＤ５と同様のジャーナルデータ、もしくはそれに順ずる内容（例えばエンボスデータを除いたジャーナルデータ等）の重要なデータが書き込み手段により書き込まれる。
【００１１】
なお、この副記憶媒体６は、リムーバブルハードディスクやＵＳＢメモリ、ＭＯ、ＤＶＤ−ＲＡＭ、メモリースティック等のハードディスクと同様にデータの読み出し、書込みが可能な媒体が用いられる。
この媒体の容量としては、一定量（例えば、一年分）のジャーナルデータを保有できる程度の容量（例えば１ギガバイト程度）をもつものが望ましい。
【００１２】
また、副記憶媒体６は、係員によって交換が行われるまで、容量が一杯になってもジャーナルデータを繰り返し上書きして使用を続けるものとする。
なお、ＡＴＭ１は上記のほか、利用者用の表示部、入力部、紙幣入出金部等の通常の取引に必要な構成要素も備えているが、本実施例ではその説明を省略する。
次に、副記憶媒体６に対して識別用データとしてのＡＴＭ-ＩＤを書き込む処理について説明する。
【００１３】
これからＡＴＭ１に取り付けられる副記憶媒体６には、ＡＴＭ運用センタ等の管理部門において例えばパーソナルコンピュータ等によりＡＴＭ-ＩＤの書き込み処理が行われる。
この場合、まず副記憶媒体６に対しデータの初期化が行われ、その初期化が終わると、続いて副記憶媒体６を装着するＡＴＭ１を特定するためのＡＴＭ-ＩＤが書き込まれる。
【００１４】
このＡＴＭ-ＩＤは、「金融機関コード」、「店番号」、「ＡＴＭ毎に与えられた固有な機械番号（通し番号等）」、「チェック・サム」により構成されるもので、その書き込み方法としては、以下の（１）〜（３）のような方法が挙げられる。
（１）副記憶媒体６内にファイルを作成し、このファイル名にＡＴＭ-ＩＤを記憶させる。例えば、ファイル名を「金融機関コード．店番号．ＡＴＭの機械番号．チェック・サム．ＤＡＴ」とする。この場合、ファイルのデータ内容は問わないものとする。
【００１５】
（２）副記憶媒体６上にファイルを作成し、そのファイル内にＡＴＭ-ＩＤを記憶させる。例えば、ＩＤ.ＤＡＴというファイルを副記憶媒体６上に作成し、そのファイル内に「金融機関コード．店番号．ＡＴＭの機械番号．チェック・サム＋Ｅ０Ｆ」というデータを記憶させる。
（３）副記憶媒体６のボリュームラベルを「金融機関コード．店番号．ＡＴＭの機械番号．チェック・サム」とする。
【００１６】
なお、以下の説明においては、ＡＴＭ１に予め付与されているＡＴＭ−ＩＤをＩＤ−ａと記し、副記憶媒体６に書き込んだＡＴＭ−ＩＤをＩＤ−ｂと記して説明を行う。
次に、上述した構成の作用について説明する。
なお、以下に説明する処理は前記ＡＴＭ１内に設けられた制御部４の指示により記憶部３がＨＤ５から読み出した制御プログラムに基づいて制御されるものとする。
【００１７】
また、以下の説明において表示部２に表示される画面は、制御部４の指令により記憶部３がＨＤ５から読み出した画面情報に基づいて表示されるものである。
図３は副記憶媒体６をＡＴＭ１に装着する処理を示すフローチャートであり、以下の説明においてはこのフローチャートを参照し、Ｓで示すステップに従って説明する。
前記のように、ＡＴＭ-ＩＤ書き込み処理を終了した副記憶媒体６を係員はＡＴＭ１まで移送し、ＡＴＭ１の記憶部３に副記憶媒体６を装着するためＡＴＭ１の背面扉を開く。      
【００１８】
図４の（ａ）〜（ｅ）は、このときに表示部２に表示して、係員の操作を誘導する画面のイメージを示す図である。
まず、図４（ａ）に示すように、表示部２に複数の操作内容を表示した操作選択画面を表示し、係員に操作の選択を促す（Ｓ１）。
【００１９】
ＡＴＭ１に副記憶媒体６を装着しようとする係員は、この誘導に従って、画面上から媒体装着ボタン１１を押下することで、副記憶媒体６の装着を入力する。
ここで媒体装着ボタン１１が押下されると、制御部４は副記憶媒体６がＡＴＭ１の記憶部３に装着されているか否かを図示しないセンサの検知信号に基づいて判断し（Ｓ２）、記憶部３に副記憶媒体６が装着されていないと判断すると、図４（ｂ）に示すように、副記憶媒体６が装着されていない旨、および副記憶媒体６を装着してＯＫボタン１２を押下するよう促す旨の案内文と、ＯＫボタン１２を配した画面を表示部２に表示する（Ｓ３）。
このように、上記図４（ｂ）に示す画面により副記憶媒体６の装着指示を受けた係員は、ＡＴＭ運用センタから移送してきた副記憶媒体６をＡＴＭ１に装着してＯＫボタン１２を押下することにより、装着を入力する。
ＯＫボタン１２が押下されると、制御部４は副記憶媒体６が記憶部３に装着されたか否かを図示しないセンサの検知信号に基づいて判断し（Ｓ４）、装着されていると判断した場合にはステップＳ７へ移行する。
一方、ステップＳ２で記憶部３に副記憶媒体６が装着されていると判断した場合には、図４（ｃ）に示すような、副記憶媒体６の交換を促す旨の案内文と、ＯＫボタン１３を配した画面を表示する。
【００２０】
この画面により副記憶媒体６の交換指示を受けた係員は、ＡＴＭ運用センタから移送してきた副記憶媒体６とＡＴＭ１の記憶部３に装着されている副記憶媒体６とを交換し、ＯＫボタン１３を押下することで交換を入力する。
ＯＫボタン１３が押下されると、制御部４は副記憶媒体６が交換されたか否かを図示しないセンサの検知信号に基づいて判断し（Ｓ６）、交換されたと判断するとステップＳ７へ移行する。
このようにして、ステップＳ７の副記憶媒体６のチェック処理に移行した制御部４は、読み取り手段により副記憶媒体６からＩＤ-ｂを読み取り、読み取ったＩＤ-ｂの内容がＡＴＭ１のＨＤ５に記憶されているＩＤ-ａと一致するか否かの判断を行う（Ｓ７）。
【００２１】
ここで、図５（ａ）〜（ｂ）はこのステップＳ７で行う副記憶媒体６のチェック処理の説明図である。
図５（ａ）に示すように、ＩＤ-ａと、ＩＤ-ｂを比較した結果、内容が一致した場合には、制御部４は装着された副記憶媒体６がＡＴＭ１に対応する正しい副記憶媒体６であると判断する。
【００２２】
これにより、制御部４は図４（ｄ）に示す、副記憶媒体６が正しい副記憶媒体６であると判断された旨、終了ボタン１４の押下によりジャーナルデータの書き込みを開始する旨と、終了ボタン１４を配した画面を表示部２に表示する。
これを見た係員が終了ボタン１４を押下して、ジャーナルデータの書き込み開始の指示を行うと、制御部４は既にＨＤ５に書き込まれているジャーナルデータを読み取り手段により読み取って副記憶媒体６に書き込む（Ｓ８）。
【００２３】
一方、ステップＳ７の判断において、図５（ｂ）に示すように、ＡＴＭ-ＩＤの比較の結果、ＩＤ-ａとＩＤ-ｂの内容が一つでも違っていた場合、もしくは図５（ｃ）に示すようにＩＤ-ｂの情報が存在しないと判断した場合には、ステップＳ９に移行し、図４（ｅ）に示すような、装着された副記憶媒体６は使用できない旨、および正しい副記憶媒体６と交換してＯＫボタン１５を押下するよう促す旨の案内文と、ＯＫボタン１５を配した画面を表示部２に表示する（Ｓ９）。
【００２４】
これにより、係員が副記憶媒体６を交換して、ＯＫボタン１５を押下すると、制御部４は図示しないセンサの検知信号に基づいて副記憶媒体６が交換されたか否かを判断し（Ｓ１０）、交換されたと判断した場合にはステップＳ７に移行して、再び副記憶媒体６のチェック処理を行う。
そして、このステップＳ７のチェック処理において、副記憶媒体６がＡＴＭ１に対応する正しい副記憶媒体６であると判断した場合には、制御部４は前記図４（ｄ）と同様の終了ボタン１４の押下によりジャーナルデータの書き込みを開始する旨の画面を表示し、係員の終了ボタン１４の押下によりジャーナルデータの書き込みを開始する。
これを見た係員が終了ボタン１４を押下することで、ジャーナルデータの書き込み開始の指示を行うと、制御部４は既にＨＤ５に書き込まれているジャーナルデータを読み取り手段にて読み取り、書き込み手段にて副記憶媒体６に書き込む（Ｓ８）。
このようにして副記憶媒体６へのジャーナルデータの書き込みが行われたＡＴＭ１では、その後取引毎に、制御部４がジャーナルデータをミラーリング、デュプレキシング、ＲＡＩＤ等といった方法で複数のＨＤ５に書き込むと共に、副記憶媒体６にもジャーナルデータの書き込みを行う。
この副記憶媒体６に記憶したジャーナルデータは、ＨＤ５がＨＤ−１、ＨＤ−２ともに磁気破損等による破損を生じてジャーナルデータの復元が必要になった場合に利用する。
【００２５】
図６（ａ）〜（ｃ）はジャーナルデータの復元が必要となった場合に、表示部２に表示して、係員の復元操作を誘導する画面のイメージを示す図である。
まず、係員はＡＴＭ１から破損したＨＤ５を取り出して新たなＨＤ５と交換を行い、図６（ａ）に示すような、複数の操作内容が表示された操作選択画面から、復元ボタン２１を押下する。
【００２６】
なお、新たなＨＤ５の交換の流れは上記図３に示す、副記憶媒体６の交換と同様の流れで行うため、その説明は省略する。
係員が、図６（ａ）で示す画面から復元ボタン２１を押下することで、副記憶媒体６の装着を入力すると、制御部４は図示しないセンサの検知信号に基づいて副記憶媒体６がＡＴＭ１の記憶部３に装着されているか否かを判断する。
【００２７】
ここで副記憶媒体６が装着されていると判断した場合には、制御部４は図６（ｂ）に示すように、装着されている副記憶媒体６からＨＤ５へジャーナルデータの書き込みを行う旨、および書き込みを承認する場合はＯＫボタン２２を押下するよう促す旨の案内文と、ＯＫボタン２２を配した画面を表示部２に表示する。
そして、係員がＯＫボタン２２を押下することで、装着されている副記憶媒体６からＨＤ５へジャーナルデータの書き込みを承認する旨を入力すると、次に制御部４は副記憶媒体６が正しい副記憶媒体６であるか否かのチェック処理を行う。
また、副記憶媒体６が記憶部３に装着されていないと判断した場合には、前記図４（ｂ）に示すものと同様の、副記憶媒体６が装着されていない旨、および副記憶媒体６を装着してＯＫボタン１２を押下するよう促す旨の案内文と、ＯＫボタン１２を配した画面を表示部２に表示し、これを見た係員が副記憶媒体６を記憶部３に装着してＯＫボタン１２を押下すると、制御部４は図示しないセンサの検知信号に基づいて装着されたか否かを判断する。
そして、副記憶媒体６が装着されたと判断すると、上記図６（ｂ）と同様の、装着されている副記憶媒体６からＨＤ５へジャーナルデータの書き込みを行う旨、および書き込みを承認する場合はＯＫボタン２２を押下するよう促す旨の案内文と、ＯＫボタン２２を配した画面を表示する。
この画面から係員がＯＫボタン２２を押下することで、装着されている副記憶媒体６からＨＤ５へジャーナルデータの書き込みを承認する旨を入力すると、次に制御部４は副記憶媒体６が正しい副記憶媒体６であるか否かのチェック処理を行う。
【００２８】
副記憶媒体６のチェック処理に移行した制御部４は、前記図３に示すステップＳ７と同様に、読み取り手段にて副記憶媒体６からＩＤ−ｂを読み取り、読み取ったＩＤ-ｂの内容がＡＴＭ１のＨＤ５に記憶されているＩＤ−ａと一致するか否かの判断を行う。
そして、ＨＤ５に記憶されているＩＤ−ａと、副記憶媒体６のＩＤ-ｂを比較した結果、内容が一致した場合には、制御部４は装着された副記憶媒体６がＡＴＭ１に対応する正しい副記憶媒体６であると判断し、読み取り手段にて副記憶媒体６からジャーナルデータを読み取り、書き込み手段にてＨＤ５に書き込む。
一方、ＨＤ５と副記憶媒体６のＡＴＭ−ＩＤを比較の結果、ＩＤ−ａとＩＤ−ｂの内容が一つでも違っていた場合、もしくはＩＤ−ｂの情報が存在しない場合には、ＡＴＭ１対応する正しい副記憶媒体６ではないと判断し、前記図４（ｅ）に示すような、装着された副記憶媒体６は使用できない旨、および正しい副記憶媒体６と交換してＯＫボタン１５を押下するよう促す旨の案内文と、ＯＫボタン１５を配した画面を表示部２に表示する。
【００２９】
これを見た係員が、副記憶媒体６を交換後、ＯＫボタン１５を押下することで交換を入力すると、制御部４は図示しないセンサの検知信号に基づいて副記憶媒体６が交換されたか否かを判断し、交換されたと判断した場合には再び副記憶媒体６のチェック処理を行う。
そして、ここでのチェック処理において副記憶媒体６はＡＴＭ１対応する正しい副記憶媒体６であると判断すると、制御部４は読み取り手段にて副記憶媒体６からジャーナルデータを読み取り、書き込み手段にてＨＤ５に書き込む。
【００３０】
その後、ジャーナルデータの書き込みが終了すると、図６（ｃ）に示す、ジャーナルデータの書き込みが終了した旨の案内文と、終了ボタン２３を配した画面を表示し、係員に終了ボタン２３が押下されることにより復元の処理を終了する。
以後、新たなＨＤ５と副記憶媒体６にジャーナルデータを書き込んで行く。
以上説明したように、ＡＴＭの記憶部にジャーナルデータを書き込む副記憶媒体を設けたので、一つのＨＤが壊れたあと、他のＨＤでＡＴＭの運用を継続している最中に残りのＨＤが壊れたり、全てのＨＤが同時に壊れたりした場合でも、副記憶媒体にジャーナルデータが書き込まれているため、データ損失を防止して副記憶媒体に記憶されているジャーナルデータを新たなＨＤに写して復元を図ることが可能になる。
【００３１】
また、副記憶媒体にＡＴＭ-ＩＤを持たせ、ＡＴＭ側のＡＴＭ-ＩＤと比較することで副記憶媒体の正当性をチェックすることができ、係員の操作ミスにより誤った副記憶媒体を装着してしまった場合でも、係員に注意を喚起して正しい副記憶媒体を確実に装着することができる。
さらに、副記憶媒体にＡＴＭ-ＩＤを持たせて上記のように副記憶媒体の正当性をチェックすることで、データ盗用を目的とした不正な媒体に、データが書き込まれることを防ぐことができる。
【実施例２】
【００３２】
本実施例２は実施例１と同様の構成をとっているため、同一の符号を付してその説明を省略する。
なお、本実施例で使用する副記憶媒体６には、実施例１と同様にＩＤが書き込まれているものとする。
次に、実施例２の作用について説明する。
【００３３】
なお、以下に説明する処理については、実施例１と同様に、ＡＴＭ１内に設けられた制御部４の指示により記憶部３がＨＤ５から読み出した制御プログラムに基づいて制御されるものである。
前記実施例１では、ＨＤ５が破損等した場合に備えて副記憶媒体６に重要なデータとしてジャーナルデータを書き込んでおくことに言及したが、実施例２では各ＡＴＭに固有な固有設定情報を重要なデータとして副記憶媒体６にも保存する方法について述べる。
【００３４】
ここで固有設定情報とはＡＴＭ−ＩＤ、すなわちＩＤ−ａやネットワーク接続の為のアドレス等のＡＴＭ毎に設定された固有な情報のことである。
通常、このような固有設定情報はＡＴＭ１が金融機関の店舗等へ設置されるときに設定されるものであり、ファイルやレジストリとしてＨＤ５に記憶されている。
図７はＨＤ５に記憶されている固有設定情報を副記憶媒体６へ書き込む際に、表示部２に表示して係員の操作を誘導する画面のイメージを示す図である。
【００３５】
まず、図７（ａ）に示すように、表示部２に複数の操作内容を表示した操作選択画面を表示し、係員に操作の選択を促す。
副記憶媒体６に固有設定情報の書き込みを行おうとする係員は、この画面上から固有設定書込ボタン３１を押下することで、副記憶媒体６の装着の指示を入力する。
ここで係員により、固有設定書込ボタン３１が押下されると、制御部４は実施例１のステップＳ２と同様に、副記憶媒体６がＡＴＭ１に装着されているか否かを図示しないセンサの検知信号に基づいて判断する。
そして、制御部４はＡＴＭ１の記憶部３に副記憶媒体６が装着されていないと判断すると、前記図４（ｂ）と同様に、副記憶媒体６が装着されていない旨、および副記憶媒体６を装着してＯＫボタン１２を押下するよう促す旨の案内文と、ＯＫボタン１２を配した画面を表示部２に表示して係員に装着を促す。
この画面を見た係員が副記憶媒体６を装着してＯＫボタン１２を押下することで装着を入力すると、制御部４は副記憶媒体６が記憶部３に装着されたか否かを判断し、装着されていると判断した場合には副記憶媒体６のチェック処理に移行する。
【００３６】
一方、ＡＴＭ１の記憶部３に副記憶媒体６が装着されていると判断した場合には、前記図４（ｃ）と同様の、副記憶媒体６の交換を促す旨の案内文と、ＯＫボタン１３を配した画面を表示部２に表示して係員に交換を促し、この画面を見た係員によりＯＫボタン１３が押下されると制御部４は図示しないセンサの検知信号に基づいて交換されたか否かを判断し、交換されたと判断すると副記憶媒体６のチェック処理に移行する。
【００３７】
そして、副記憶媒体６のチェック処理に移行した制御部４は、実施例１のステップＳ７と同様に、読み取り手段にて副記憶媒体６からＩＤ−ｂを読み取り、読み取ったＩＤ−ｂの内容がＡＴＭ１のＨＤ５に記憶されているＩＤ−ａと一致するか否かの判断を行う。
ここで、ＩＤ−ａとＩＤ−ｂの内容が一致し、ＡＴＭ１に対応する正しい副記憶媒体６であると判断した場合には、図７（ｂ）に示すように、副記憶媒体６が正しいと判断された旨、ＯＫボタン３２の押下により固有設定情報の書き込みを行う旨の案内文と、ＯＫボタン３２を配した画面を表示部２に表示して係員の操作を誘導する。
この図７（ｂ）画面を見た係員が、ＯＫボタン３２を押下して固有設定情報の書き込みを指示すると、制御部４はＨＤ５から固有設定情報を読み取り、副記憶媒体６に対して書き込む。
【００３８】
そして固有設定情報の書き込みが終了すると、制御部４は図７（ｃ）に示すように、固有設定情報の書き込みを終了した旨の案内文、と終了ボタン３２を配した画面を表示部２に表示し、これを見た係員に終了ボタン３２が押下されることによって、固有設定情報の書き込み操作を終了する。
一方、副記憶媒体６のチェック処理において、ＩＤ-ａとＩＤ-ｂの内容が一つでも違っていて、装着された副記憶媒体６はＡＴＭ１に対応する正しい副記憶媒体６ではないと判断した場合には、制御部４は前記図４（ｅ）と同様の、正しい副記憶媒体６と交換してＯＫボタン１５を押下するよう促す旨の案内文と、ＯＫボタン１５を配した画面を表示部２に表示する。
この画面を見た係員が副記憶媒体６を交換してＯＫボタン１５を押下すると、これにより制御部４は図示しないセンサの検知信号に基づいて副記憶媒体６が交換されたか否かを判断し、交換されたと判断すると、再び副記憶媒体６が正しいか否かのチェック処理を行って、正しい副記憶媒体６であると判断した場合には上記図７（ｂ）と同様の、ＯＫボタン３２の押下により固有設定情報の書き込みを行う旨の案内文と、ＯＫボタン３２を配した画面を表示部２に表示する。
そして、この図７（ｂ）画面を見た係員が、ＯＫボタン３２を押下して固有設定情報の書き込みを指示すると、制御部４は読み取り手段にてＨＤ５から固有設定情報を読み取り、書き込み手段にて副記憶媒体６に対して書き込みを行って、固有設定情報の書き込みが終了すると、制御部４は前記図７（ｃ）に示すように、固有設定情報の書き込みを終了した旨の案内文、と終了ボタン３２を配した画面を表示部２に表示し、これを見た係員に終了ボタン３２が押下されることによって、固有設定情報の書き込み操作を終了する。
【００３９】
このようにして副記憶媒体６への固有設定情報の書き込みが行われたＡＴＭ１では、ＨＤ５が磁気破損等による破損を生じて、副記憶媒体６から固有設定情報の復元が必要になった場合に利用する。
図８（ａ）〜（ｃ）は固有設定情報の復元が必要となった場合に、表示部２に表示して係員の操作を誘導する画面のイメージを示す図である。
【００４０】
まず、係員はＡＴＭ１から破損したＨＤ５を取り出して新たなＨＤ５と交換を行い、図８（ａ）に示すような、複数の操作内容が表示された操作選択画面から、固有設定復元ボタン４１を押下する。
なお、新たなＨＤ５の交換の流れは上記実施例１の図３に示す、副記憶媒体６の交換と同様の流れで行ため、その説明は省略する。
係員が、図８（ａ）に示す画面から固有設定復元ボタン４１を押下ずることで、副記憶媒体６の装着を入力すると、制御部４は図示しないセンサの検知信号に基づいて副記憶媒体６がＡＴＭ１の記憶部３に装着されているか否かを確認する。
ここで、制御部４は記憶媒体６がＡＴＭ１に装着されていると判断すると、図８（ｂ）に示すような、装着されている副記憶媒体６からＨＤ５へ固有設定情報の書き込みを行う旨、および書き込みを承認する場合はＯＫボタン４２を押下するよう促す旨の案内文と、ＯＫボタン４２を配した画面を表示部２に表示する。
そして、係員が画面上からＯＫボタン４２を押下することで、装着されている副記憶媒体６からＨＤ５への書き込みを承認する旨を入力すると、次に制御部４は副記憶媒体６のチェック処理を行う。
また、副記憶媒体６が記憶部３に装着されていないと判断した場合には、実施例１の前記図４（ｂ）に示すものと同様の、副記憶媒体６が装着されていない旨、および副記憶媒体６を装着してＯＫボタン１２を押下するよう促す旨の案内文と、ＯＫボタン１２を配した画面を表示部２に表示し、これを見た係員が副記憶媒体６を記憶部３に装着してＯＫボタン１２を押下することで装着を入力すると、制御部４は図示しないセンサの検知信号に基づいて装着されたか否かを判断する。
【００４１】
そして、副記憶媒体６が装着されたと判断すると、上記図８（ｂ）に示す画面と同様の、装着されている副記憶媒体６からＨＤ５へ固有設定情報の書き込みを行う旨、および書き込みを承認する場合はＯＫボタン４２を押下するよう促す旨の案内文と、ＯＫボタン４２を配した画面を表示する。
この画面から係員がＯＫボタン４２を押下することで、装着されている副記憶媒体６からＨＤ５へ固有設定情報の書き込みを承認する旨を指示すると、次に制御部４は副記憶媒体６が正しい副記憶媒体６であるか否かのチェック処理を行う。
【００４２】
ここで、ＡＴＭ−ＩＤは交換用のＨＤに予め設定しておくか、交換時に係員が設定するものとする。
副記憶媒体６のチェック処理に移行した制御部４は、実施例１の図３に示すステップＳ７と同様に、読み取り手段にて副記憶媒体６からＩＤ−ｂを読み取り、読み取ったの内容がＡＴＭ１のＨＤ５に記憶されているＩＤ−ａと一致するか否かの判断を行い、ＩＤ−ａとＩＤ−ｂの内容が一致したため制御部４は装着された副記憶媒体６がＡＴＭ１対応する正しい副記憶媒体６であると判断した場合には、読み取り手段にて副記憶媒体６からジャーナルデータを読み取って、書き込み手段にてＨＤ５に書き込む。
一方、ＨＤ５と副記憶媒体６のＩＤを比較の結果、ＩＤ−ａとＩＤ−ｂの内容が一つでも違っていた場合、もしくはＩＤ−ｂの情報が存在しない場合には、ＡＴＭ１対応する正しい副記憶媒体６ではないと判断し、前記実施例１の図４（ｅ）に示すような、装着された副記憶媒体６は使用できない旨、および正しい副記憶媒体６と交換してＯＫボタン１５を押下するよう促す旨の案内文と、ＯＫボタン１５を配した画面を表示部２に表示する。
これを見た係員が、副記憶媒体６を交換後、ＯＫボタン１５を押下することで交換を入力すると、制御部４は図示しないセンサの検知信号に基づいて副記憶媒体６が交換されたか否かを判断し、交換されたと判断した場合には再び副記憶媒体６のチェック処理を行う。
【００４３】
そして、このチェック処理にて副記憶媒体６はＡＴＭ１対応する正しい副記憶媒体６であると判断すると、制御部４は読み取り手段にて副記憶媒体６から固有設定情報を読み取り、書き込み手段にてＨＤ５に書き込む。
その後、ジャーナルデータの書き込みが終了すると、図８（ｃ）に示すような、固有設定情報の書き込みが終了した旨の案内文と、終了ボタン４３を配した画面を表示部２に表示し、これを見た係員に終了ボタン４３が押下されることにより復元の処理を終了する。
【００４４】
上述したように、実施例２によれば、ＡＴＭ毎に固有の設定情報を副記憶媒体に保存しておき、ＡＴＭのＨＤが全て破損した場合等においても、副記憶媒体から復元を図ることで、係員が新たに設定作業を行う場合のミスを防ぎ、ＨＤにＡＴＭ−ＩＤのみを設定しておけば、より簡単かつ迅速に固有設定情報の復元を図ることが可能となる。
なお、実施例１ではジャーナルデータを、実施例２では固有設定情報を副記憶媒体に書き込むことに言及したが、このジャーナルデータと固有設定情報を両方記憶することも可能である。
【００４５】
また、実施例１および２では、ジャーナルデータや端末固有設定情報といった情報を副記憶媒体へ暗号化されていない平文のまま書き込むことのみ言及したが、これに限られるものではない。
また、副記憶媒体の識別用データは、ＡＴＭ−ＩＤを用いるものとしたが、これに限らず、媒体の有効性を確認できるものであれば、他の情報を用いても構わない。
【００４６】
また、ＡＴＭ−ＩＤの構成についても、上記において説明したデータ構成に限らず、ＡＴＭを区別可能であれば、他の任意なデータ構成をとることもできる。
上記情報をある規則によって暗号化して書き込むようにし、その規則を知らないと、副記憶媒体のデータを読み取れないようにすれば、データ漏洩をより強固に保護することができる。
【図面の簡単な説明】
【００４７】
【図１】自動取引装置を示すブロック図
【図２】ジャーナルデータの書き込み方を示す図
【図３】副記憶媒体６をＡＴＭ１に装着する処理を示すフローチャート
【図４】係員の操作を誘導する画面のイメージを示す図
【図５】副記憶媒体６のチェック処理の説明図
【図６】係員の復元操作を誘導する画面のイメージを示す図
【図７】係員の操作を誘導する画面のイメージを示す図
【図８】係員の操作を誘導する画面のイメージを示す図
【符号の説明】
【００４８】
１  ＡＴＭ
２  表示部
３  記憶部
４  制御部
５  ＨＤ
６  副記憶媒体
【図１】
2006260157.tif 000003
【図２】
2006260157.tif 000004
【図３】
2006260157.tif 000005
【図４】
2006260157.tif 000006
【図５】
2006260157.tif 000007
【図６】
2006260157.tif 000008
【図７】
2006260157.tif 000009
【図８】
2006260157.tif 000010